(57)【特許請求の範囲】
【請求項１】
横方向に向けて設けられたカートリッジ挿入孔を有する測定装置本体と前記カートリッジ挿入孔に挿入し得る測定用カートリッジからなり、前記測定用カートリッジには、測定血液が投入される上方が開口した測定血液投入口とそれに連通して挿入方向の横方向に伸びる細管部が設けられ、前記細管部の途中および先端部に狭窄部を設け、前記細管部内で前記２つの狭窄部の間に両端部がＳ極とＮ極の棒状磁石を挿入方向に所定範囲で往復移動自在に配設し、前記棒状磁石が前記途中の狭窄部側にあるとこの狭窄部を閉塞するようにし、前記測定装置本体には、前記測定用カートリッジが前記カートリッジ挿入孔に挿入される際に前記棒状磁石が磁力による吸引で前記途中の狭窄部側にあるようにしてこの狭窄部を閉塞する手段を設け、前記カートリッジ挿入孔に挿入された前記測定用カートリッジの前記棒状磁石を所定の時間間隔で切り換える磁力による吸引で前記挿入方向で往復移動させる磁石往復動手段を設け、不透明な前記棒状磁石に光が遮られて前記棒状磁石が往復移動の一端側に偏寄された状態を検出する磁石位置検出手段を設け、前記磁石往復動手段の前記磁力により吸引されて移動される前記棒状磁石のあるべき位置と前記磁石位置検出手段で実際に検出された前記棒状磁石の位置が一致しているか否かを判別する判別手段を設け、前記磁石往復動手段による前記棒状磁石の往復移動の開始から前記判別手段により前記棒状磁石の位置が一致していないことを判別するまでの時間を測定する時間測定手段を設け、前記時間測定手段で測定された時間を前記測定血液の血液凝固時間として表示する表示手段を設けて構成したことを特徴とする血液凝固時間測定装置。
【請求項２】
横方向に向けて設けられたカートリッジ挿入孔を有する測定装置本体と前記カートリッジ挿入孔に挿入し得る測定用カートリッジからなり、前記測定用カートリッジには、測定血液が投入される上方が開口した測定血液投入口とそれに連通して挿入方向の横方向に伸びる細管部が設けられ、前記細管部の途中および先端部に狭窄部を設け、前記細管部内で前記２つの狭窄部の間に両端部がＳ極とＮ極の棒状磁石を挿入方向に所定範囲で往復移動自在に配設し、前記棒状磁石が前記途中の狭窄部側にあるとこの狭窄部を閉塞するようにし、前記測定装置本体には、前記測定用カートリッジが前記カートリッジ挿入孔に挿入される際に前記棒状磁石が磁力による吸引で前記途中の狭窄部側にあるようにしてこの狭窄部を閉塞する手段を設け、前記カートリッジ挿入孔に挿入された前記測定用カートリッジの前記棒状磁石を所定の時間間隔で切り換える磁力による吸引で前記挿入方向で往復移動させる磁石往復動手段を設け、不透明な前記棒状磁石に光が遮られて前記棒状磁石が往復移動の一端側に偏寄された状態を検出する磁石位置検出手段を設け、前記磁石往復動手段の前記磁力により吸引されて移動される前記棒状磁石のあるべき位置と前記磁石位置検出手段で実際に検出された前記棒状磁石の位置が一致しているか否かを判別する判別手段を設け、前記磁石往復動手段による前記棒状磁石の往復移動が開始されて前記判別手段で前記棒状磁石の位置が一致していることが判別されてから前記判別手段により前記棒状磁石の位置が対応していないことを判別するまでの時間を測定する時間測定手段を設け、前記時間測定手段で測定された時間を前記測定血液の血液凝固時間として表示する表示手段を設けて構成したことを特徴とする血液凝固時間測定装置。
【請求項３】
請求項１または２記載の血液凝固時間測定装置において、前記測定用カートリッジが前記カートリッジ挿入孔の所定位置まで挿入されると押圧されてこれを検出する挿入検出手段を設け、この挿入検出手段で前記測定用カートリッジの挿入が検出されると、前記磁石往復動手段による前記棒状磁石の往復移動を開始するように構成したことを特徴とする血液凝固時間測定装置。
【請求項４】
請求項１または２記載の血液凝固時間測定装置において、前記時間測定手段は、タイマーを備え、前記磁石往復動手段による前記棒状磁石の往復移動の開始にともない、または前記判別手段で前記棒状磁石の位置が対応していることが判別されて、前記タイマーにより計時動作を開始し、前記判別手段により前記棒状磁石の位置が対応していないことを判別すると前記計時動作を停止するように構成したことを特徴とする血液凝固時間測定装置。
【請求項５】
請求項１または２記載の血液凝固時間測定装置において、前記磁石往復動手段を、前記カートリッジ挿入孔に挿入された前記測定用カートリッジが遊嵌する電磁コイルと、この電磁コイルに流れる電流の向きを所定の時間間隔で切り換える電磁コイル電流制御手段とで構成したことを特徴とする血液凝固時間測定装置。
【請求項６】
請求項１または２記載の血液凝固時間測定装置において、前記測定用カートリッジを少なくとも前記棒状磁石が往復移動の一端側に偏寄された状態を検出する部分を透明に形成し、前記棒状磁石を不透明に形成し、前記磁石位置検出手段を、不透明な前記棒状磁石が往復移動する一端側に偏寄された状態を検出する部分に臨んでこれを挟んで配設された光源と受光センサーおよび前記受光センサーからの信号が与えられる受光検出手段とで構成したことを特徴とする血液凝固時間測定装置。
【請求項７】
請求項１または２記載の血液凝固時間測定装置において、前記カートリッジ挿入孔の開口部近くに前記棒状磁石を吸引する位置設定用磁石を設け、前記測定用カートリッジが前記カートリッジ挿入孔に挿入される際に、前記位置設定用磁石の磁力で吸引されて前記棒状磁石が前記細管部内で前記中途の狭窄部側に位置してこの狭窄部を閉塞するように構成したことを特徴とする血液凝固時間測定装置。
【請求項８】
請求項７記載の血液凝固時間測定装置において、前記測定用カートリッジが前記カートリッジ挿入孔の所定位置まで挿入された状態を保持する第１クリック手段と、前記測定用カートリッジが前記カートリッジ挿入孔に半分ほど挿入された状態を保持する第２クリック手段を設け、この第２クリック手段で保持された状態で前記位置設定用磁石の磁力で吸引されて前記棒状磁石が前記細管部内で前記中途の狭窄部側に位置してこの狭窄部を閉塞するようにし、前記第２クリック手段で保持された状態で前記測定血液投入口に前記測定血液を投入し得るように構成したことを特徴とする血液凝固時間測定装置。
【請求項９】
請求項５記載の血液凝固時間測定装置において、前記カートリッジ挿入孔に前記測定用カートリッジが挿入される際に、前記電磁コイル電流制御手段で、前記棒状磁石を前記細管部内で前記中途の狭窄部側に位置してこの狭窄部を閉塞するように前記電磁コイルに電流を流すように構成したことを特徴とする血液凝固時間測定装置。
【請求項１０】
横方向に向けて設けられたカートリッジ挿入孔を有する測定装置本体と前記カートリッジ挿入孔に挿入し得る測定用カートリッジからなり、前記測定用カートリッジには、測定血液が投入される上方が開口した測定血液投入口とそれに連通して挿入方向の横方向に伸びる細管部が設けられ、前記細管部の途中および先端部に狭窄部を設け、前記細管部内で前記２つの狭窄部の間に鋼球または棒状の鋼体を挿入方向に所定範囲で往復移動自在に配設し、前記鋼体が前記途中の狭窄部側にあるとこの狭窄部を閉塞するようにし、前記測定装置本体には、前記測定用カートリッジが前記カートリッジ挿入口に挿入される際に前記鋼体が磁力による吸引で前記途中の狭窄部側にあるようにしてこの狭窄部を閉塞する手段を設け、前記カートリッジ挿入孔に挿入された前記測定用カートリッジの前記鋼体の往復移動の両端側にそれぞれ第１電磁コイルと第２電磁コイルを配設して、前記第１電磁コイルと前記第２電磁コイルに所定の時間間隔で交互に電流を流して磁力による吸引で前記鋼体を所定の時間間隔で前記挿入方向で往復移動させる鋼体往復動手段を設け、不透明な前記鋼体に光が遮られて前記鋼体が往復移動の一端側に偏寄された状態を検出する鋼体位置検出手段を設け、前記鋼体往復動手段の前記磁力により吸引されて移動される前記鋼体のあるべき位置と前記鋼体位置検出手段で実際に検出された前記鋼体の位置が一致しているか否かを判別する判別手段を設け、前記鋼体往復動手段による前記鋼体の往復移動の開始から前記判別手段により前記鋼体の位置が一致していないことを判別するまでの時間を測定する時間測定手段を設け、前記時間測定手段で測定された時間を前記測定血液の血液凝固時間として表示する表示手段を設けて構成したことを特徴とする血液凝固時間測定装置。
【請求項１１】
横方向に向けて設けられたカートリッジ挿入孔を有する測定装置本体と前記カートリッジ挿入孔に挿入し得る測定用カートリッジからなり、前記測定用カートリッジには、測定血液が投入される上方が開口した測定血液投入口とそれに連通して挿入方向の横方向に伸びる細管部が設けられ、前記細管部の途中および先端部に狭窄部を設け、前記細管部内で前記２つの狭窄部の間に鋼球または棒状の鋼体を挿入方向に所定範囲で往復移動自在に配設し、前記鋼体が前記途中の狭窄部側にあるとこの狭窄部を閉塞するようにし、前記測定装置本体には、前記測定用カートリッジが前記カートリッジ挿入孔に挿入される際に前記鋼体が磁力による吸引で前記途中の狭窄部側にあるようにしてこの狭窄部を閉塞する手段を設け、前記カートリッジ挿入孔に挿入された前記測定用カートリッジの前記鋼体の往復移動の両端側にそれぞれ第１電磁コイルと第２電磁コイルを配設して、前記第１電磁コイルと前記第２電磁コイルに所定の時間間隔で交互に電流を流して磁力による吸引で前記鋼体を所定の時間間隔で前記挿入方向で往復移動させる鋼体往復動手段を設け、不透明な前記鋼体に光が遮られて前記鋼体が往復移動の一端側に偏寄された状態を検出する鋼体位置検出手段を設け、前記鋼体往復動手段の前記磁力により吸引されて移動される前記鋼体のあるべき位置と前記鋼体位置検出手段で実際に検出された前記鋼体の位置が一致しているか否かを判別する判別手段を設け、前記鋼体往復動手段による前記鋼体の往復移動が開始されて前記判別手段で前記鋼体の位置が一致していることが判別されてから前記判別手段により前記鋼体の位置が一致していないことを判別するまでの時間を測定する時間測定手段を設け、前記時間測定手段で測定された時間を前記被測定血液の血液凝固時間として表示する表示手段を設けて構成したことを特徴とする血液凝固時間測定装置。
【発明の詳細な説明】
【技術分野】
【０００１】
本発明は、血液が凝固するまでの時間を測定するための血液凝固時間測定装置に関するものである。
【背景技術】
【０００２】
体外に取り出された血液の凝固時間を測定する技術の一例としては、以下のような技術がある。まず、昇降装置により繰り返して上下動させ得る試験管の内部に鋼球を挿入し、この試験管の外部に配した磁石により磁力で吸引させて鋼球を一定高さに浮かせる。この一定の高さに浮かんでいる鋼球を挟んで光源と受光センサーを設ける。試験管内に適量の測定血液を投入して試験管を繰り返し上下動させる。測定血液が凝固していない状態では、鋼球は磁石の吸引により一定の高さを維持する。しかし、測定血液が凝固すると磁石の磁力による吸引力より血液による抵抗力が勝り、鋼球は血液とともに上下動して一定の高さに浮かんだ状態を維持し得ない。この鋼球が一定の高さを維持し得ない状態となったことを受光センサーで検出し、それまでに経過した時間から、測定血液の凝固時間を測定する。かかる技術は、特許第３４６１６１８号公報に、従来技術として示されている。
【特許文献１】特許第３４６１６１８号公報
【０００３】
また、米国特許第５３７２９４６号公報には、測定装置と測定容器からなり、測定容器に設けた測定用毛細管に測定血液を投入してこれを測定装置に挿入し、測定装置に設けた空気ポンプのポンプ圧の増減で測定用毛細管内の測定血液を往復移動させ、この往復移動に要する時間の変化から血液の凝固時間を測定する技術が示されている。
【特許文献２】米国特許第５３７２９４６号公報
【発明の開示】
【発明が解決しようとする課題】
【０００４】
上述の特許文献１に記載された技術にあっては、試験管を繰り返して上下動させるための昇降装置が必要であり、その構造が複雑なものであった。そして、試験管の管壁の厚さと鋼球の直径などの寸法精度が、血液凝固時間の測定精度に大きな影響を与えるので、精度の高いものが必要であり、それだけ高価なものとなるという不具合があった。さらに、凝固時間を測定するために一定の高さに浮かぶ鋼球が水没するだけの量の測定血液が必要であり、少量の血液では測定ができないという不具合もあった。
【０００５】
また、特許文献２に記載された技術にあっては、測定装置に設けられた空気ポンプと、測定装置に挿入された測定容器の測定用毛細管が、気密構造で連結される必要がある。何故ならば、仮に気密構造で連結されずに空気が漏れたとすると、所定のポンプ圧の増減が得られず、当然に測定血液の往復移動に要する時間が相違したものとなる。この測定装置に単に測定容器を挿入するだけで、空気ポンプと測定用毛細管を気密構造で連結させる構造は、測定装置および測定容器のいずれにもその形状に高い寸法精度が不可欠である。
【０００６】
本発明は、かかる従来技術の事情に鑑みてなされたもので、構造が簡単な血液凝固時間測定装置を提供することを目的とする。また、少量の測定血液でも血液凝固時間を精度良く測定できる血液凝固時間測定装置を提供することを目的とする。
【課題を解決するための手段】
【０００７】
かかる目的を達成するために、本発明の血液凝固時間測定装置は、横方向に向けて設けられたカートリッジ挿入孔を有する測定装置本体と前記カートリッジ挿入孔に挿入し得る測定用カートリッジからなり、前記測定用カートリッジには、測定血液が投入される上方が開口した測定血液投入口とそれに連通して挿入方向の横方向に伸びる細管部が設けられ、前記細管部の途中および先端部に狭窄部を設け、前記細管部内で前記２つの狭窄部の間に両端部がＳ極とＮ極の棒状磁石を挿入方向に所定範囲で往復移動自在に配設し、前記棒状磁石が前記途中の狭窄部側にあるとこの狭窄部を閉塞するようにし、前記測定装置本体には、前記測定用カートリッジが前記カートリッジ挿入孔に挿入される際に前記棒状磁石が磁力による吸引で前記途中の狭窄部側にあるようにしてこの狭窄部を閉塞する手段を設け、前記カートリッジ挿入孔に挿入された前記測定用カートリッジの前記棒状磁石を所定の時間間隔で切り換える磁力による吸引で前記挿入方向で往復移動させる磁石往復動手段を設け、不透明な前記棒状磁石に光が遮られて前記棒状磁石が往復移動の一端側に偏寄された状態を検出する磁石位置検出手段を設け、前記磁石往復動手段の前記磁力により吸引されて移動される前記棒状磁石のあるべき位置と前記磁石位置検出手段で実際に検出された前記棒状磁石の位置が一致しているか否かを判別する判別手段を設け、前記磁石往復動手段による前記棒状磁石の往復移動の開始から前記判別手段により前記棒状磁石の位置が一致していないことを判別するまでの時間を測定する時間測定手段を設け、前記時間測定手段で測定された時間を前記測定血液の血液凝固時間として表示する表示手段を設けて構成されている。
【０００８】
また、横方向に向けて設けられたカートリッジ挿入孔を有する測定装置本体と前記カートリッジ挿入孔に挿入し得る測定用カートリッジからなり、前記測定用カートリッジには、測定血液が投入される上方が開口した測定血液投入口とそれに連通して挿入方向の横方向に伸びる細管部が設けられ、前記細管部の途中および先端部に狭窄部を設け、前記細管部内で前記２つの狭窄部の間に両端部がＳ極とＮ極の棒状磁石を挿入方向に所定範囲で往復移動自在に配設し、前記棒状磁石が前記途中の狭窄部側にあるとこの狭窄部を閉塞するようにし、前記測定装置本体には、前記測定用カートリッジが前記カートリッジ挿入孔に挿入される際に前記棒状磁石が磁力による吸引で前記途中の狭窄部側にあるようにしてこの狭窄部を閉塞する手段を設け、前記カートリッジ挿入孔に挿入された前記測定用カートリッジの前記棒状磁石を所定の時間間隔で切り換える磁力による吸引で前記挿入方向で往復移動させる磁石往復動手段を設け、不透明な前記棒状磁石に光が遮られて前記棒状磁石が往復移動の一端側に偏寄された状態を検出する磁石位置検出手段を設け、前記磁石往復動手段の前記磁力により吸引されて移動される前記棒状磁石のあるべき位置と前記磁石位置検出手段で実際に検出された前記棒状磁石の位置が一致しているか否かを判別する判別手段を設け、前記磁石往復動手段による前記棒状磁石の往復移動が開始されて前記判別手段で前記棒状磁石の位置が一致していることが判別されてから前記判別手段により前記棒状磁石の位置が対応していないことを判別するまでの時間を測定する時間測定手段を設け、前記時間測定手段で測定された時間を前記測定血液の血液凝固時間として表示する表示手段を設けて構成しても良い。
【０００９】
そして、前記測定用カートリッジが前記カートリッジ挿入孔の所定位置まで挿入されると押圧されてこれを検出する挿入検出手段を設け、この挿入検出手段で前記測定用カートリッジの挿入が検出されると、前記磁石往復動手段による前記棒状磁石の往復移動を開始するように構成しても良い。
【００１０】
さらに、前記時間測定手段は、タイマーを備え、前記磁石往復動手段による前記棒状磁石の往復移動の開始にともない前記タイマーにより計時動作を開始し、前記判別手段により前記棒状磁石の位置が対応していないことを判別すると前記計時動作を停止するように構成しても良い。
【００１１】
また、前記磁石往復動手段を、前記カートリッジ挿入孔に挿入された前記測定用カートリッジが遊嵌する電磁コイルと、この電磁コイルに流れる電流の向きを所定の時間間隔で切り換える電磁コイル電流制御手段とで構成しても良い。
【００１２】
また、前記測定用カートリッジを少なくとも前記棒状磁石が往復移動の一端側に偏寄された状態を検出する部分を透明に形成し、前記棒状磁石を不透明に形成し、前記磁石位置検出手段を、不透明な前記棒状磁石が往復移動する一端側に偏寄された状態を検出する部分に臨んでこれを挟んで配設された光源と受光センサーおよび前記受光センサーの信号が与えれれる受光検出手段とで構成しても良い。
【００１３】
そして、前記カートリッジ挿入孔の開口部近くに前記棒状磁石を吸引する位置設定用磁石を設け、前記測定用カートリッジが前記カートリッジ挿入孔に挿入される際に、前記位置設定用磁石の磁力で吸引されて前記棒状磁石が前記細管部内で前記中途の狭窄部側に位置してこの狭窄部を閉塞するように構成しても良い。
【００１４】
そしてまた、前記測定用カートリッジが前記カートリッジ挿入孔の所定位置まで挿入された状態を保持する第１クリック手段と、前記測定用カートリッジが前記カートリッジ挿入孔に半分ほど挿入された状態を保持する第２クリック手段を設け、この第２クリック手段で保持された状態で前記位置設定用磁石の磁力で吸引されて前記棒状磁石が前記細管部内で前記中途の狭窄部側に位置してこの狭窄部を閉塞するようにし、前記第２クリック手段で保持された状態で前記測定血液投入口に前記測定血液を投入し得るように構成することもできる。
【００１５】
そしてさらに、前記カートリッジ挿入孔に前記測定用カートリッジが挿入される際に、前記電磁コイル電流制御手段で、前記棒状磁石を前記細管部内で前記中途の狭窄部側に位置してこの狭窄部を併走するように前記電磁コイルに電流を流すように構成することもできる。
【００１６】
また、本発明の血液凝固時間測定装置は、横方向に向けて設けられたカートリッジ挿入孔を有する測定装置本体と前記カートリッジ挿入孔に挿入し得る測定用カートリッジからなり、前記測定用カートリッジには、測定血液が投入される上方が開口した測定血液投入口とそれに連通して挿入方向の横方向に伸びる細管部が設けられ、前記細管部の途中および先端部に狭窄部を設け、前記細管部内で前記２つの狭窄部の間に鋼球または棒状の鋼体を挿入方向に所定範囲で往復移動自在に配設し、前記鋼体が前記途中の狭窄部側にあるとこの狭窄部を閉塞するようにし、前記測定装置本体には、前記測定用カートリッジが前記カートリッジ挿入口に挿入される際に前記鋼体が磁力による吸引で前記途中の狭窄部側にあるようにしてこの狭窄部を閉塞する手段を設け、前記カートリッジ挿入孔に挿入された前記測定用カートリッジの前記鋼体の往復移動の両端側にそれぞれ第１電磁コイルと第２電磁コイルを配設して、前記第１電磁コイルと前記第２電磁コイルに所定の時間間隔で交互に電流を流して磁力による吸引で前記鋼体を所定の時間間隔で前記挿入方向で往復移動させる鋼体往復動手段を設け、不透明な前記鋼体に光が遮られて前記鋼体が往復移動の一端側に偏寄された状態を検出する鋼体位置検出手段を設け、前記鋼体往復動手段の前記磁力により吸引されて移動される前記鋼体のあるべき位置と前記鋼体位置検出手段で実際に検出された前記鋼体の位置が一致しているか否かを判別する判別手段を設け、前記鋼体往復動手段による前記鋼体の往復移動の開始から前記判別手段により前記鋼体の位置が一致していないことを判別するまでの時間を測定する時間測定手段を設け、前記時間測定手段で測定された時間を前記測定血液の血液凝固時間として表示する表示手段を設けて構成することも可能である。
【００１７】
また、横方向に向けて設けられたカートリッジ挿入孔を有する測定装置本体と前記カートリッジ挿入孔に挿入し得る測定用カートリッジからなり、前記測定用カートリッジには、測定血液が投入される上方が開口した測定血液投入口とそれに連通して挿入方向の横方向に伸びる細管部が設けられ、前記細管部の途中および先端部に狭窄部を設け、前記細管部内で前記２つの狭窄部の間に鋼球または棒状の鋼体を挿入方向に所定範囲で往復移動自在に配設し、前記鋼体が前記途中の狭窄部側にあるとこの狭窄部を閉塞するようにし、前記測定装置本体には、前記測定用カートリッジが前記カートリッジ挿入孔に挿入される際に前記鋼体が磁力による吸引で前記途中の狭窄部側にあるようにしてこの狭窄部を閉塞する手段を設け、前記カートリッジ挿入孔に挿入された前記測定用カートリッジの前記鋼体の往復移動の両端側にそれぞれ第１電磁コイルと第２電磁コイルを配設して、前記第１電磁コイルと前記第２電磁コイルに所定の時間間隔で交互に電流を流して磁力による吸引で前記鋼体を所定の時間間隔で前記挿入方向で往復移動させる鋼体往復動手段を設け、不透明な前記鋼体に光が遮られて前記鋼体が往復移動の一端側に偏寄された状態を検出する鋼体位置検出手段を設け、前記鋼体往復動手段の前記磁力により吸引されて移動される前記鋼体のあるべき位置と前記鋼体位置検出手段で実際に検出された前記鋼体の位置が一致しているか否かを判別する判別手段を設け、前記鋼体往復動手段による前記鋼体の往復移動が開始されて前記判別手段で前記鋼体の位置が一致していることが判別されてから前記判別手段により前記鋼体の位置が一致していないことを判別するまでの時間を測定する時間測定手段を設け、前記時間測定手段で測定された時間を前記被測定血液の血液凝固時間として表示する表示手段を設けて構成することも可能である。
【発明の効果】
【００１８】
請求項１または２記載の血液凝固時間測定装置はいずれも、測定装置本体に挿入された測定用カートリッジの細管部内に往復移動自在の配設された棒状磁石を、測定装置本体に設けた磁石往復動手段により、所定の時間間隔で磁力による吸引で往復移動させるようにしたので、特許文献１の昇降装置のごとき複雑な機械的な装置を必要としない。また、特許文献２の測定装置と測定容器を気密構造に連結するごとき高い寸法精度を必要としない。もって、本発明の血液凝固時間測定装置にあっては、構造が簡単であって、全体として安価に構成できるとともに、特に測定用カートリッジを樹脂材料等で量産すれば極めて安価に製造することが可能である。そして、細管部の途中に狭窄部を設け、測定用カートリッジがカートリッジ挿入孔に挿入される際に棒状磁石が磁力による吸引で途中の狭窄部側にあるようにしてこの狭窄部を閉塞するようにしたので、測定に必要な血液の量は、測定血液投入口から測定用カートリッジの細管部内の中途の狭窄部までに投入され得るだけの少量で足りる。しかも、棒状磁石の往復移動により血液が測定血液投入口から溢れるようなことがない。
【００１９】
請求項３記載の血液凝固時間測定装置にあっては、測定装置本体に血液が投入された測定用カートリッジを所定位置まで挿入すると、押圧されてこれを挿入検出手段で検出して、磁石往復動手段により棒状磁石の往復移動が開始されるとともに時間測定手段で時間の計測が開始されるので、測定用カートリッジの挿入で自動的に測定が開始され、測定作業が容易である。
【００２０】
請求項４記載の血液凝固時間測定装置にあっては、タイマーにより、磁石往復動手段による棒状磁石の往復移動の開始によりタイマーの計時動作を開始させ、判別手段による棒状磁石の位置が対応していないことを判別するとタイマーの計時動作を停止させるようにしたので、時間の計測が容易である。
【００２１】
請求項５記載の血液凝固時間測定装置にあっては、挿入された測定用カートリッジが遊嵌する電磁コイルと、この電磁コイルに流れる電流の向きを所定の時間間隔で切り換える電磁コイル電流制御手段とで、磁石往復動手段を構成しているので、棒状磁石を往復移動させる構造が簡単であるとともに、その往復移動を電流制御により容易に制御することが可能である。
【００２２】
請求項６記載の血液凝固時間測定装置にあっては、往復移動する不透明な棒状磁石が一端側に偏寄された状態を、光源と受光センサーで検出するので、棒状磁石が偏寄しているか否かを簡単な構造で検出し得る。
【００２３】
請求項７記載の血液凝固時間測定装置にあっては、カートリッジ挿入孔の開口部近くに棒状磁石を吸引する位置設定用磁石を設けているので、測定用カートリッジがカートリッジ挿入孔に挿入される際に、棒状磁石が細管部内で中途の狭窄部側に位置してこの狭窄部を閉塞するので、細管部内に投入され得る測定血液の量が少量で一定している。また、棒状磁石の往復移動の開始により、細管部内から測定血液が測定血液投入口側に溢れるようなことがない。
【００２４】
請求項８記載の血液凝固時間測定装置にあっては、測定用カートリッジがカートリッジ挿入孔の所定位置まで挿入された状態を保持する第１クリック手段と、測定用カートリッジがカートリッジ挿入孔に半分ほど挿入された状態を保持する第２クリック手段を設けたので、第２クリック手段で保持された状態で測定用カートリッジに被測定血液を投入でき、また所定位置まで挿入された状態を第１クリック手段で確実に保持することができる。
【００２５】
請求項９記載の血液凝固時間測定装置にあっては、カートリッジ挿入孔に測定用カートリッジが挿入される際に、電磁コイル電流制御手段で電磁コイルに棒状磁石が細管部内で中途の狭窄部側に位置するように電流を流すようにしたので、請求項６のごとき位置設定用磁石を必要とせず、それだけ安価に構成できる。
【００２６】
請求項１０または１１記載の血液凝固時間測定装置のいずれにあっても、測定用カートリッジの細管部内に鋼球または棒状の鋼体を挿入方向に所定範囲で往復移動自在に配設し、測定装置本体に、測定用カートリッジの鋼体の往復移動の両端側にそれぞれ第１電磁コイルと第２電磁コイルを配設し、この第１電磁コイルと第２電磁コイルに所定の時間間隔で交互に電流を流して磁力による吸引で鋼球または棒状の鋼体を所定の時間間隔で挿入方向で往復移動させる鋼体往復動手段を設けたので、請求項１のごとき棒状磁石を必要とせず、この棒状磁石より鋼球または棒状の鋼体は安価であり、測定用カートリッジをより安価に製造することが可能である。また、細管部の途中に狭窄部を設け、測定用カートリッジがカートリッジ挿入孔に挿入される際に鋼体が磁力による吸引で途中の狭窄部側にあるようにしてこの狭窄部を閉塞するようにしたので、測定に必要な血液の量は、測定血液投入口から測定用カートリッジの細管部内の中途の狭窄部までに投入され得るだけの少量で足りる。しかも、鋼体の往復移動により血液が測定血液投入口から溢れるようなことがない。
【発明を実施するための最良の形態】
【００２７】
以下、本発明の血液凝固時間測定装置の第１実施例につき、図１ないし図９を参照して説明する。図１は、本発明の血液凝固時間測定装置の第１実施例の外観斜視図であり、（ａ）は測定装置本体に測定用カートリッジを挿入する前の状態を示し、（ｂ）は測定装置本体に測定用カートリッジをほぼ半分ほど挿入した状態を示し、（ｃ）は測定装置本体に測定用カートリッジを完全に挿入した状態を示す。図２は、測定用カートリッジの構造図であり、（ａ）は平面図であり、（ｂ）は左側面図であり、（ｃ）は正面図であり、（ｄ）は（ａ）のＡ−Ａ断面矢視図である。図３は、測定装置本体に内蔵される測定部の構造図であり、（ａ）は平面図であり、（ｂ）は右側面図であり、（ｃ）は（ａ）のＢ−Ｂ断面矢視図であり、（ｄ）は（ｂ）のＣ−Ｃ断面矢視図である。図４は、測定装置本体の測定部に測定用カートリッジを挿入した切り欠き平面図であり、（ａ）は測定用カートリッジをほぼ半分ほど挿入した状態の図であり、（ｂ）は測定用カートリッジを完全に挿入した状態の図である。図５は、測定用カートリッジに測定血液を投入する状態を示す図であり、（ａ）は測定血液を投入する直前の状態を示し、（ｂ）は測定血液が投入された状態を示す。図６は、機能ブロック図である。図７は、フローチャートである。図８は、血液凝固時間が一例として４０秒の場合のタイムチャートである。図９は、血液凝固時間が他の一例として５０秒の場合のタイムチャートである。
【００２８】
第１実施例において、本発明の血液凝固時間測定装置は、図１に示すように横方向に向けて設けられたカートリッジ挿入孔１２を有する測定装置本体１０と、カートリッジ挿入孔１２に挿入し得る測定用カートリッジ１４とからなる。測定装置本体１０には、装置本体の外面に設けられた電源スイッチ１６とＬＥＤ等からなる表示器１８が設けられている。また、測定用カートリジ１４には、カートリッジ内に測定血液を投入するための測定血液投入口２０が設けられている。そして、測定用カートリッジ１４を、図１（ｂ）に示すごとく、測定装置本体１０のカートリッジ挿入孔１２にほぼ半分ほど挿入した状態で、測定血液投入口２０に測定血液を適宜な量だけ投入する。さらに、測定用カートリッジ１４を、図１（ｃ）に示すように、測定装置本体１０のカートリッジ挿入孔１２に挿入が規制されるまで完全に挿入する。なお、測定装置本体１０の寸法は、一例として、長さ１５０ｍｍ、幅８０ｍｍ、高さ４４ｍｍであり、測定用カートリッジ１４は、長さ６５ｍｍ、幅２０ｍｍ、厚さ６ｍｍである。
【００２９】
図２に示す測定用カートリッジ１４は、先端側の外径が細い先端細径部１４ａと後端側の上下に薄く幅が広い偏平部１４ｂとからなる。そして、偏平部１４ｂのほぼ中央に上方が開口した測定血液投入口２０が設けられ、この測定血液投入口２０に連通して先端細径部１４ａ内を挿入方向に横方向に伸びる細管部１４ｃが設けられる。この細管部１４ｃの途中および先端部に狭窄部１４ｄ、１４ｄが設けられ、この細管部１４ｃの先端は先端細径部１４ａの先端で開口されている。２つの狭窄部１４ｄ、１４ｄの間に両端部がＳ極とＮ極にそれぞれ磁化されている棒状磁石２２が細管部１４ｃ内を２つの狭窄部１４ｄ、１４ｄ間で往復移動自在に配設されている。なお、細管部１４ｃ内で棒状磁石２２が中途の狭窄部１４ｄ側に位置している状態では、棒状磁石２２によりこの途中の狭窄部１４ｃが閉塞されるようになされている。さらに、測定血液投入口２０の周囲には、測定血液が周囲にこぼれないように偏平部１４ｂの表面より若干上方向に高い周壁１４ｅが設けられている。また、偏平部１４ｂの後端側の上面と下面にそれぞれ球面状凹部１４ｆ、１４ｆが設けられていて、測定装置本体１０から測定用カートリッジ１４をつまんで引き抜き易く構成されている。さらに、偏平部１４ｂの片側の外壁に、クリック用の凹状溝１４ｇ、１４ｇが設けられている。かかる構造の測定用カートリジ１４は、一例として、透明樹脂で樹脂成形により形成されて上下２分割された部品を、棒状磁石２２を挟んで張り合わせることで、安価に製造することが可能である。
【００３０】
測定装置本体１０には、図３に示す測定部２４が内蔵されている。この測定部２４には、配設された状態でカートリッジ挿入孔１２に連通して、測定用カートリジ１４の先端細径部１４ａと偏平部１４ｂがともに挿入され得る挿入孔２４ａが設けられる。そして、測定用カートリッジ１４が挿入された状態で、先端細径部１４ａの先端で押圧されるように挿入検出手段としてのリミットスイッチ２６が設けられている。また、先端細径部１４ａが遊嵌されるように電磁コイル２８が設けられ、さらに先端細径部１４ａの先端側を挟んで光源３０と受光センサー３２が配設されている。ここで、測定用カートリッジ１４は、挿入状態で光源３０と受光センサー３２に臨む位置が、少なくとも透明であれば良く、棒状磁石２２は不透明に構成されている。そして、測定部２４には、ヒーター３４と温度センサー３６が設けられている。さらに、挿入孔２４ａの開口部に近い位置に位置設定用磁石３８が設けられている。そしてさらに、測定用カートリッジ１４が完全に挿入された状態で２つの凹状溝１４ｇ、１４ｇにそれぞれ係合する位置にプランジャー４０、４０が配設されて、測定用カートリッジ１４の挿入状態を保持する。２つの凹状溝１４ｇ、１４ｇが設けられた間隔と、２つのプランジャー４０、４０が配設される間隔は、当然に同じである。そして、測定用カートリッジ１４がほぼ半分ほど挿入された状態では、１つの凹状溝１４ｇに１つのプランジャー４０が係合して、このほぼ半分ほど挿入された状態が保持される。凹状溝１４ｇ、１４ｇとプランジャー４０、４０で、クリック手段が構成されている。
【００３１】
かかる構造の測定部２４に測定用カートリッジ１４を挿入すると、図４（ａ）に示すように、まず偏平部１４ｂの先端細径部１４ｂ側に設けられた１つの凹状溝１４ｇに挿入孔２４ａ開口側の１つのプランジャー４０が係合して、第２クリック手段としてはぼ半分ほど挿入した状態が保持される。このほぼ半分ほど挿入された状態で、挿入孔２４ａの開口側に設けた位置設定用磁石３８による磁力で吸引されて細管部１４ｃ内の棒状磁石２２は中途の狭窄部１４ｃ側に偏寄された位置にある。そして、ほぼ半分ほど挿入された状態では、測定用カートリッジ１４の測定血液投入口２０は、測定装置本体１０の外側にあり、図５（ａ）に示すごとく、測定血液投入口２０に測定血液４２を投入し得る。投入された測定血液４２は、図５（ｂ）に示すごとく、棒状磁石２２で中途の狭窄部１４ｃが閉塞された状態にあるので、この狭窄部１４ｃまで流入され、少量で足りる。
【００３２】
そして、測定部２４に測定用カートリッジ１４を完全に挿入すると、図４（ｂ）に示すように、偏平部１４ｂに設けられた２つの凹状溝１４ｇ、１４ｇに２つのプランジャー４０、４０がそれぞれに係合して、第１クリック手段として完全に挿入した状態が保持される。この完全に挿入された状態では、先端細径部１４ａが電磁コイル２８内に挿通され、この電磁コイル２８が細管部１４ｃの２つの狭窄部１４ｄ、１４ｄのほぼ中央に位置している。また、先端細径部１４ａの先端側を挟んで光源３０と受光センサー３２が位置するように配設されているので、細管部１４ｃ内の棒状磁石２２が先端側の狭窄部１４ｄ側に偏寄した状態であると、光源３０の光が棒状磁石２２で遮られて受光センサー３２は受光できない状態となるようになされる。しかも、測定用カートリッジ１４を完全に挿入すると、先端細径部１４ａの先端でリミットスイッチ２６を押圧して、測定用カートリッジ１４が完全に挿入されたことが検出される。
【００３３】
本発明のおける血液凝固測定装置にあっては、細管部１４ｃ内で棒状磁石２２を電磁コイル２８により往復動させ、測定血液４２が凝固していない状態では棒状磁石２２が細管部１４ｃ内で移動し、測定血液４２が凝固すると棒状磁石２２が細管部１４ｃ内で移動し得ないことから、棒状磁石２２の位置を受光センサー３２により検出して、測定血液４２が凝固したか否かを測定するものである。かかる測定動作は、図６に示すように、マイクロコンピュータ４４により制御される。マイクロコンピュータ４４には、挿入検出手段としてのリミットスイッチ２６の信号により測定カートリッジ１４が完全に挿入されたことが検出されると、電磁コイル２８に通電する電流を適宜に切り換え制御して棒状磁石２２の往復動を開始させる電磁コイル電流制御手段４６と、リミットスイッチ２６の信号で計時動作を開始させるタイマー４８を含む時間計測手段５０が設けられている。また、受光センサー３２からの信号を受けて、棒状磁石２２の位置に応じた信号を出力する受光検出手段５２が設けられている。そして、電磁コイル電流制御手段４６により電磁コイル２８に印加される電流の極性と、受光検出手段５２で検出される棒状磁石２２の位置が適正か否かを判別する判別手段５４が設けられ、位置が一致せずにずれていることが判別されると、その信号が時間測定手段５０に与えられてタイマー４８の計時動作が停止される。そして、時間測定手段５０で測定された時間に応じた信号が表示手段５６に与えられ、表示手段５６はＬＥＤ等の表示器１８によりその測定時間を血液凝固時間として表示する。電磁コイル２８と電磁コイル電流制御手段４６により磁石往復動手段が構成されている。また、光源３０と受光センサー３２および受光検出手段５２で、磁石位置検出手段が構成されている。
【００３４】
電磁コイル電流制御手段４６は、一例として１０秒間隔で電磁コイル２８に印可する電流の極性を切り換えることで、棒状磁石２２を往復動させている。また、受光検出手段５２は、受光センサー３２が受光する状態では棒状磁石２２が測定用カートリジ１４の偏平部１４ｂ側にあり、受光できない遮光された状態では先端細径部１４ａの先端側にあると検出する。そして、判別手段５４において、電磁コイル電流制御手段４６で電磁コイル２８に印可する電流の極性により位置すべき棒状磁石２２の位置と、受光センサー３２からの信号で受光検出手段５２で検出された棒状磁石２２の位置が対応していれば、測定血液４２は未だ凝固しておらず、位置が対応していなければ測定血液４２は凝固したと判別する。この判別において、電磁コイル電流制御手段４６で電磁コイル２８に印可する電流の極性を切り換えた際に、測定血液４２が未だ凝固していない状態であっても、その粘性等により棒状磁石２２は直ちに対応する位置に移動することはできない。そこで、棒状磁石２２のかかる移動の遅れを考慮して、位置すべき棒状磁石２２の位置と受光検出手段５２の信号を判別する必要がある。その一例としては、電磁コイル２８に印可する電流の極性を切り換えてから適宜な時間（例えば、２ないし４秒）が経過した後に判別するようにすれば良い。なお、表示手段５６は、血液凝固時間を表示するだけでなく、温度センサー３６から信号が与えられ、電源スイッチ１６がＯＮされてヒーター３４が作動して測定部２４が３７°Ｃになると表示器１８に「準備ＯＫ」の表示を行う。なお、ヒーター３４は、温度センサー３６から与えられる信号に基づき温度コントローラ５８によりＯＮ／ＯＦＦ制御されて、温度センサー３６で常に３７°Ｃが検出維持されるように動作する。また、光源３０は、電源スイッチ１６のＯＮにより通電されて発光した状態となる。
【００３５】
本発明の血液凝固時間測定装置の動作につき、図７を参照して説明する。まず電源スイッチ１６をＯＮにするとヒーター３４に通電されて測定部２４の加熱がなされる（ステップ１）。この加熱により測定部２４が３７°Ｃまで温度上昇したことが温度センサー３６で検出されると（ステップ２）、その検出信号がマイクロコンピュータ４４の表示手段５６に与えられ、表示器１８に「準備ＯＫ」と測定が可能であることを表示する（ステップ３）。測定部２４の温度は、その後も温度センサー３６により検出されて、その信号が温度コントローラ５８に与えられて、３７°Ｃ以下ではヒーター３４への通電がＯＮされ、３７°Ｃおよび３７°Ｃ以上ではヒーター３４への通電がＯＦＦされて、常に３７°Ｃが維持される。そして、表示器１８で「準備ＯＫ」と表示された後に、測定装置本体１０に測定用カートリッジ１４をほぼ半分ほど挿入して、測定血液４２を測定血液投入口２０に投入する。ここで、棒状磁石２２は、偏平部１４ｂ側の狭窄部１４ｄに偏寄されていて、測定血液４２は、図５（ｂ）に図示するように偏平部１４ｂ側の狭窄部１４ｄまでしか流入しない。測定血液４２を投入した後に、さらに測定用カートリッジ１４を挿入して、リミットスイッチ２６を押圧するまで完全に挿入すると、この挿入がリミットスイッチ２６で検出され（ステップ４）、その信号がマイクロコンピュータ４４の電磁コイル電流制御手段４６と時間測定手段５０に与えられ、電磁コイル電流制御手段４６は電磁コイル２８に先端細径部１４ａの先端側で受光センサー３２が配設された側に棒状磁石２２が磁力で吸引されるように＋極性の電流を通電するとともに、タイマー４８による計時動作を開始させる（ステップ５）。すると、電磁コイル２８への＋極性の通電で、棒状磁石２２が吸引されて受光センサー３２が配設された側に移動し、受光センサー３２の受光が棒状磁石２２により遮断されて、その信号を受光検出手段５２に与えて棒状磁石２２を検出する（ステップ６）。ここで、電磁コイル電流制御手段４６が＋極性の電流を通電している信号と受光検出手段５２が棒状磁石２２を検出した信号が、判別手段５４に与えられ、通電により棒状磁石２２があるべき位置と実際に検出された棒状磁石２２の位置が一致しているか否かが判別される。このときに、一致していない場合は、判別手段５４から信号が表示手段５６に与えられ、表示手段５６は表示器１８にエラー表示を行う（ステップ７）。棒状磁石２２が検出されない場合は、測定血液４２が既に凝固している虞があり、正常に測定が為し得ないためである。なお、電磁コイル電流制御手段４６が通電を開始し、また通電の極性を切り換えたときに、棒状磁石２２の移動は測定血液４２の粘性などにより遅れて移動する。そこで、電磁コイル電流制御手段４６からの信号と受光検出手段５２からの信号を、判別手段５４は棒状磁石２２の移動が遅れることを考慮して比較判別するように設定することは勿論である。
【００３６】
ステップ６において、正常に棒状磁石２２が検出されれば、通電により棒状磁石２２があるべき位置と実際に検出された棒状磁石２２の位置が一致しているとして、判別手段５４は電磁コイル電流制御手段４６に信号を与え、一例として１０秒間待ち（ステップ８）、電磁コイル電流制御手段４６は電磁コイル２８に棒状磁石２２が偏平部１４ｂ側に移動するように電流を切り換えて−極性の電流を通電する（ステップ９）。そして、測定血液４２が未だ凝固していなければ棒状磁石２２が移動し、受光センサー３２は受光する。そこで、受光検出手段５２は棒状磁石２２を検出しないと判別し（ステップ１０）、判別手段５４は、通電の極性と棒状磁石２２の位置が一致していると判別する。そこでさらに、１０秒間待ち（ステップ１１）、再度、電磁コイル電流制御手段４６は電流を切り換えて電磁コイル２８に＋極性の電流を通電する（ステップ１２）。この電流の切り換えに伴い、棒状磁石２２が移動し、受光センサー３２の受光が遮断されて棒状磁石２２が検出されると（ステップ１３）、ステップ８に戻り、ステップ１０またはステップ１３において、判別手段５４が通電の極性と棒状磁石２２の位置が一致していないと判別するまで繰り返される。そして、ステップ１０またはステップ１３で、通電の極性と棒状磁石２２の位置が一致していないと判別されると、その信号が時間測定手段５０に与えられてタイマー４８の計時動作が停止される（ステップ１４）。その計時した時間が、表示手段５６に与えられて、表示器１８で血液凝固時間として表示されて（ステップ１５）、動作は終了する。
【００３７】
かかる動作の一例を、図８に示すタイムチャートで説明する。まず電源スイッチ１６をＯＮすると、ヒーター３４により測定装置本体１０の測定部２４の温度が室温から３７°Ｃまで上昇され、測定が可能となる（ａ）。血液の凝固時間は温度に大きく影響させられることから、測定温度として、人間の体温に近い３７°Ｃで測定がなされる。そして、測定用カートリッジ１４がほぼ半分ほど挿入され、測定血液４２が測定用カートリッジ１４に投入され、さらに測定用カートリッジ１４が完全に挿入されてリミットスイッチ２６がＯＮとなると（ｂ）、電磁コイル２８に電流が通電され、１０秒毎にその極性が切り換えられる（ｃ）。すると、この電磁コイル２８に流れる電流の極性に応じて、棒状磁石２２が測定用カートリッジ１４の細管部１４ｃ内で先端細径部１４ａの先端側と偏平部１４ｂ側に１０秒毎に移動させられる（ｄ）。この棒状磁石２２の移動位置により、受光センサー３２は受光したり受光が遮断されたりして（ｅ）、その信号が受光検出手段５２に与えられて、棒状磁石２２の位置を検出する。ここで、測定血液４２が未だ凝固していない場合には、棒状磁石２２は電磁コイル２８に通電される電流の極性に応じて、細管部１４ｃ内で先端細径部１４ａの先端側と偏平部１４ｂ側に移動が可能であり、測定血液４２が凝固した場合には、棒状磁石２２は電磁コイル２８に通電される電流の極性に応じて、細管部１４ｃ内で先端細径部１４ａの先端側と偏平部１４ｂ側に移動が不可能となる。そこで、リミットスイッチ２６のＯＮによる測定開始とともにタイマー４８の計時動作を開始するとともに、電磁コイル２８への通電と棒状磁石２２の位置が対応しなくなると、タイマー４８の計時動作を停止することで（ｆ）、測定血液４２の凝固時間を測定することができる。図８にあっては、測定開始より３０秒が経過した後に測定血液４２が凝固し、測定開始より４０秒が経過した時点で電磁コイル２８への通電の極性が切り換えられたにも関わらず棒状磁石２２は移動がなし得ず、この位置のずれが受光センサー３２により検出されたものである。よって、図８の動作にあっては、測定血液４２は４０秒で凝固したとの測定結果が得られている。なお、棒状磁石２２を往復動させる間隔を１０秒としたのは、血液の凝固は徐々に進行するので、あまり短い間隔で往復動させても測定精度が高いものとならず、実用的に必要とされる程度の精度で血液凝固時間を測定するために設定されている。したがって、棒状磁石２２の往復移動は、１０秒の間隔で行うことに限られるものでない。
【００３８】
さらに本発明の動作の他の一例を、図９に示すタイムチャートで説明する。図９に示すタイムチャートにあっては、測定開始より４０秒が経過した後に測定血液４２が凝固し、測定開始より５０秒が経過した時点で電磁コイル２８への通電の極性が切り換えられたにもかかわらず棒状磁石２２は移動がなし得ず、この位置のずれが受光センサー３２により検出されたものである。よって、図９の動作にあっては、測定血液４２は５０秒で凝固したとの測定結果が得られている。
【００３９】
次に、本発明の血液凝固時間測定装置の第２実施例につき、図１０および図１１を参照して説明する。図１０は、本発明の血液凝固時間測定装置の第２実施例の機能ブロック図である。図１１は、第２実施例のフローチャートである。図１０および図１１において、図１ないし図９に示す部材および動作と同じまたは均等な部材および動作には同じ符号を付けて、重複する説明を省略する。
【００４０】
図１０に示す第２実施例の機能ブロック図において、第１実施例と相違するところは、リミットスイッチ２６の信号により測定カートリッジ１４が完全に挿入されたことが検出されると、電磁コイル電流制御手段４６に信号が与えられて棒状磁石２２の往復移動が開始され、この棒状磁石２２の移動によりその位置が適正であることが判別手段５４で判別されると、判別手段５４から時間測定手段５０に信号が与えられて、タイマー４８により計時動作が開始されることにある。そこで、タイマー４８は、リミットスイッチ２６がＯＮされて電磁コイル電流制御手段４６により棒状磁石２２が移動された後に判定手段５４が棒状磁石２２の位置が適正であると判別すると、その信号に応じて計時動作を開始し、判定手段４６が棒状磁石２２の位置が適正でないと判別すると、その信号に応じて計時動作を停止することとなる。この第２実施例にあっては、タイマー４８が計時動作を開始する信号が、第１実施例と相違して、判定手段５４からの信号で開始する。
【００４１】
そこで、図１１に示すフローチャートのごとく、リミットスイッチ２６がＯＮされると（ステップ４）、電磁コイル制御手段４６は電磁コイルに＋極性の電流を通電して（ステップ５−１）、棒状磁石２２を測定用カートリッジ１４の先端細径部１４ａの先端側に移動させ、棒状磁石２２のこの位置が受光センサーの受光を遮断して検出されて棒状磁石２２の位置が適正と判定手段５４が判定すると（ステップ６）、判定手段５４から時間測定手段５０にその信号が与えられてタイマー４８の計時動作が開始される（ステップ５−２）。ステップ６において、棒状磁石２２の位置が適正でないと判別されると、判定手段５４から表示手段５６に信号が与えられて表示器１８でエラー表示がなされる（ステップ７）ことは、第１実施例と同様である。また、ステップ５−２でタイマー４８の計時動作が開始された後は、１０秒間待ち（ステップ８）、第１実施例と同様な動作となる。
【００４２】
さらに、本発明の血液凝固時間測定装置の第３実施例につき、図１２および図１３を参照して説明する。図１２は、本発明の血液凝固時間測定装置の第３実施例のフローチャートである。図１３は、第３実施例のタイムチャートである。図１２および図１３において、図１ないし図１１に示す部材および動作と同じまたは均等な部材および動作には同じ符号を付けて、重複する説明を省略する。
【００４３】
第１実施例にあっては、測定部２４の挿入孔２４ａの開口近くに位置設定用磁石３８を配設することで、測定装置本体１０に挿入される測定用カートリッジ１４の棒状磁石２２の位置が、測定用カートリッジ１４の偏平部１４ｂ側となるようにしている。これにより測定血液４２は細管部１４ｃの偏平部１４ｂ側の狭窄部１４ｄまでしか流れ込まず、測定血液４２の量が少なく、しかも棒状磁石２２が細管部１４ｃ内で先端細径部１４ａの先端側に移動されても測定血液４２が測定血液投入口２０からあふれ出るようなことがない。第３実施例にあっては、棒状磁石２２を往復動作させる電磁コイル２８により、測定装置本体１０に挿入される測定用カートリッジ１４の棒状磁石２２の位置を中途の狭窄部１４ｃ側となるようにするものである。そこで、位置設定用磁石３８が不要となる。第３実施例にあっては、図１２のフローチャートに示すように、測定部２４が３７°Ｃまで温度上昇したことが温度センサー３６で検出されると（ステップ２）、その検出信号がマイクロコンピュータ４４の表示手段５６に与えられ、表示器１８で「準備ＯＫ」の表示をするとともに、電磁コイル電流制御手段４６は電磁コイル２８に棒状磁石２２が偏平部１４ｂ側となるように−極性の電流を通電する（ステップ３−１）。この電磁コイル２８への−極の通電が、図１３（ｃ）に示される。そこで、測定用カートリッジ１４が挿入される際に、棒状磁石２２は図１３（ｄ）のごとく偏平部１４ｂ側に位置する。したがって、第１実施例のごとき位置設定用磁石３８が不要となる分だけ構造が簡単であるとともに安価に製造し得る。
【００４４】
そしてさらに、本発明の血液凝固時間測定装置の第４実施例につき、図１４ないし図１６を参照して説明する。図１４は、本発明の血液凝固時間測定装置の第４実施例の測定部の一部切り欠き断面図であり、（ａ）は一部切り欠き横断面図であり、（ｂ）は一部切り欠き縦断面図である。図１５は、第４実施例の機能ブロック図である。図１６は、第４実施例のフローチャートである。図１４ないし図１６において、図１ないし図１３に示す部材と同じまたは均等な部材には同じ符号を付けて、重複する説明を省略する。
【００４５】
図１４に示すように、第４実施例の測定用カートリッジ６０には、先端細径部１４ａの細管部１４ｃ内に強磁性体等からなる棒状の鋼体６２が所定の範囲で往復移動自在に配設されている。なお、棒状の鋼体６２に換えて鋼球であっても良く、強磁性体であれば良い。そして、第４実施例の測定部６４には、測定用カートリッジ６０が所定位置まで完全に挿入された状態で、棒状の鋼体６２の往復動する範囲の両端部に臨んで第１電磁コイル６６と第２電磁コイル６８がそれぞれに配設されている。そこで、図１５に示すように、マイクロコンピュータ４４には、第１電磁コイル６６と第２電磁コイル６８に、１０秒毎に交互に通電させる電磁コイル電流制御手段４６が設けられ、通電された側の電磁コイルで棒状の鋼体６２を磁力で吸引させて、第１実施例と同様に、棒状の鋼体６２を往復動させることができる。第１電磁コイル６６と第２電磁コイル６８および電磁コイル電流制御手段４６により、鋼体往復動手段が構成されている。第４実施例の動作は、図１６に示すように、温度センサー３６で３７°Ｃが検出されると（ステップ２）、「準備ＯＫ」の表示とともに偏平部１４ｂ側の第１電磁コイル６６に通電される（ステップ３−２）。そこで、測定用カートリッジ６０が挿入される際に、第１電磁コイル６６への通電により棒状の鋼体６２を吸引して、棒状の鋼体６２を中途の狭窄部１４ｃ側に位置させることができる。そして、リミットスイッチ２６がＯＮされると（ステップ４）、第２電磁コイル６８に通電されるとともにタイマー４８の開示動作が開始される（ステップ５−３）。ここで、棒状の鋼体６２が検出されれば（ステップ６−１）、１０秒間待ち（ステップ８）、再度、第１電磁コイル６６に通電され（ステップ９−１）、棒状の鋼体６２の検出がなされる。検出されなければ（ステップ１０−１）、再度、１０秒間待ち（ステップ１１）、第２電磁コイル６８に通電され（ステップ１２−１）、棒状の鋼体６２の検出がなされる。ここで棒状の鋼体６２が検出されると（ステップ１３−１）、ステップ８に戻る。ステップ１０−１で棒状の鋼体６２が検出され、またはステップ１３−１で棒状の鋼体６２が検出されなくなると、ステップ１４に移行する。かかる構造の第４実施例にあっては、測定用カートリッジ６０の部品として、安価な棒状の鋼体６２を用いることで、測定用カートリッジ６０をより安価に提供することが可能である。なお、第４実施例では、光源３０と受光センサー３２および受光検出手段５２により、鋼体位置検出手段が構成されている。
【００４６】
さらにまた、本発明の血液凝固時間測定装置の第５実施例につき、図１７を参照して説明する。図１７は、本発明の血液凝固時間測定装置の第５実施例の機能ブロック図である。図１７において、図１ないし図１６に示す部材と同じまたは均等な部材には同じ符号を付けて、重複する説明を省略する。
【００４７】
図１７に示す第５実施例にあっては、測定用カートリッジ６０および測定部６４の構造は、第４実施例と同様である。第５実施例にあっては、図１７に示すように、リミットスイッチ２６のＯＮで、電磁コイル電流制御手段４６により所定時間の間隔で第１電磁コイル６６と第２電磁コイル６８に交互に通電が開始される。この交互の通電の開始により、棒状の鋼体６２がまず偏平部１４ｂ側から先端側に移動されて、受光センサー３２が遮光されて棒状の鋼体６２が検出される。電磁コイル電流制御手段４６により通電された電磁コイル側に棒状の鋼体６２が移動し、その位置が受光センサー３２で検出され、判別手段５４は棒状の鋼体６２が移動して適正に対応した位置にあるとして、時間測定手段５０に信号を与えてタイマー４８の計時動作を開始させる。第５実施例にあっては、タイマー４８の計時動作を開始させる信号が判定手段５４から与えられる点で、第４実施例と相違している。
【００４８】
なお、上記第１実施例ないし第３実施例において、電磁コイル２８への−極の通電で棒状磁石２２が偏平部１４ｂ側に位置し、＋極の通電で棒状磁石２２が先端細径部１４ａ側に位置するように説明したが、棒状磁石２２の両端の極性を逆に磁化するならば、電磁コイル２８への＋極の通電で棒状磁石２２が偏平部１４ｂ側に位置し、−極の通電で棒状磁石２２が先端細径部１４ａ側に位置することは、容易に理解されるであろう。
【図面の簡単な説明】
【００４９】
【図１】本発明の血液凝固時間測定装置の第１実施例の外観斜視図であり、（ａ）は測定装置本体に測定用カートリッジを挿入する前の状態を示し、（ｂ）は測定装置本体に測定用カートリッジを半分ほど挿入した状態を示し、（ｃ）測定装置本体に測定用カートリッジを完全に挿入した状態を示す。
【図２】測定用カートリッジの構造図であり、（ａ）は平面図であり、（ｂ）は左側面図であり、（ｃ）は正面図であり、（ｄ）は（ａ）のＡ−Ａ断面矢視図である。
【図３】測定装置本体に内蔵される測定部の構造図であり、（ａ）は平面図であり、（ｂ）は右側面図であり、（ｃ）は（ａ）のＢ−Ｂ断面矢視図であり、（ｄ）は（ｂ）のＣ−Ｃ断面矢視図である。
【図４】測定装置本体の測定部に測定用カートリッジを挿入した切り欠き平面図であり、（ａ）は測定用カートリッジを半分ほど挿入した状態の図であり、（ｂ）は測定用カートリッジを完全に挿入した状態の図である。
【図５】測定用カートリッジに測定血液を投入する状態を示す図であり、（ａ）は測定血液を投入する前の状態を示し、（ｂ）は測定血液が投入された状態を示す。
【図６】第１実施例の機能ブロック図である。
【図７】第１実施例のフローチャートである。
【図８】血液凝固時間が一例として４０秒の場合のタイムチャートである。
【図９】血液凝固時間が他の一例として５０秒の場合のタイムチャートである。
【図１０】本発明の血液凝固時間測定装置の第２実施例の機能ブロック図である。
【図１１】第２実施例のフローチャートである。
【図１２】本発明の血液凝固時間測定装置の第３実施例のフローチャートである。
【図１３】図１２のフローチャートで血液凝固時間が一例として４０秒の場合のタイムチャートである。
【図１４】本発明の血液凝固時間測定装置の第４実施例の測定部の一部切り欠き断面図であり、（ａ）は一部切り欠き横断面図であり、（ｂ）は一部切り欠き縦断面図である。
【図１５】第４実施例の機能ブロック図である。
【図１６】第４実施例のフローチャートである。
【図１７】本発明の血液凝固時間測定装置の第５実施例の機能ブロック図である。
【符号の説明】
【００５０】
１０  測定装置本体
１２  カートリッジ挿入孔
１４、６０  測定用カートリッジ
１４ａ  先端細径部
１４ｂ  偏平部
１４ｃ  細管部
１４ｄ  狭窄部
１４ｅ  周壁
１４ｆ  球面状凹部
１４ｇ  凹状溝
１６  電源スイッチ
１８  表示器
２０  測定血液投入口
２２  棒状磁石
２４、６４  測定部
２４ａ  挿入孔
２６  リミットスイッチ
２８  電磁コイル
３０  光源
３２  受光センサー
３４  ヒーター
３６  温度センサー
３８  位置設定用磁石
４０  プランジャ
４２  測定血液
４４  マイクロコンピュータ
４６  電磁コイル電流制御手段
４８  タイマー
５０  時間測定手段
５２  受光検出手段
５４  判別手段
５６  表示手段
５８  温度コントローラ
６２  棒状の鋼体
６６  第１電磁コイル
６８  第２電磁コイル
【図１】
0005527808.tif 000002
【図２】
0005527808.tif 000003
【図３】
0005527808.tif 000004
【図４】
0005527808.tif 000005
【図５】
0005527808.tif 000006
【図６】
0005527808.tif 000007
【図７】
0005527808.tif 000008
【図８】
0005527808.tif 000009
【図９】
0005527808.tif 000010
【図１０】
0005527808.tif 000011
【図１１】
0005527808.tif 000012
【図１２】
0005527808.tif 000013
【図１３】
0005527808.tif 000014
【図１４】
0005527808.tif 000015
【図１５】
0005527808.tif 000016
【図１６】
0005527808.tif 000017
【図１７】
0005527808.tif 000018